(57)【特許請求の範囲】
【請求項１】
対象部材を補強するために前記対象部材に固定される補強用中空部材において、
金属からなる中空状の本体であって、前記対象部材に固定される部分に当該本体を構成する互いに対向する一対の壁を圧潰することで形成された圧潰部が設けられた、本体と、
頭部及び前記頭部から延出した軸部を有すると共に、前記軸部が前記圧潰部を貫通し、前記圧潰部における前記軸部の周囲部分が塑性流動することで前記圧潰部にかしめ締結され、前記頭部から前記軸部先端に流された溶接電流によって前記軸部先端が前記対象部材にスポット溶接される複数のリベットと、
を備え、
前記リベットにおける少なくとも前記本体と接触する部分に、絶縁層が形成されていることを特徴とする、補強用中空部材。
【請求項２】
前記本体が、互いに対向する一対のフランジと互いに対向し且つそれぞれ前記一対のフランジを接続する一対のウェブとを含むと共に、前記一対のフランジ及び前記一対のウェブにより構成されるロの字状の断面を有し、
前記圧潰部が、前記一対のウェブを圧潰することで形成されていることを特徴とする、請求項１に記載の補強用中空部材。
【請求項３】
前記フランジの厚みが前記ウェブの厚みよりも大きいことを特徴とする、請求項２に記載の補強用中空部材。
【請求項４】
複数の前記リベットが、互いに離隔しつつ前記圧潰部にかしめ締結されていることを特徴とする、請求項１〜３のいずれか一項に記載の補強用中空部材。
【請求項５】
前記本体がアルミニウム合金からなり、前記リベットが鋼からなることを特徴とする、請求項１〜４のいずれか一項に記載の補強用中空部材。
【請求項６】
金属からなる中空状の本体を有すると共に対象部材を補強するために前記対象部材に固定される補強用中空部材の製造方法であって、
前記本体の前記対象部材に固定される部分に、前記本体を構成する互いに対向する一対の壁を圧潰することで、圧潰部を形成する圧潰部形成工程と、
頭部及び前記頭部から延出した軸部を有し、前記本体と接触する部分に絶縁層が形成されている複数のリベットの前記軸部を前記圧潰部に貫通させ、前記圧潰部における前記軸部の周囲部分を塑性流動させることで前記リベットを前記圧潰部にかしめ締結するかしめ工程と、
前記リベットの前記頭部から前記軸部先端に溶接電流を流すことによって前記軸部先端を前記対象部材にスポット溶接する溶接工程と、
を備えたことを特徴とする、補強用中空部材の製造方法。
【請求項７】
前記圧潰部形成工程及び前記かしめ工程を、プレス加工により同時に行うことを特徴とする、請求項６に記載の製造方法。
【請求項８】
前記本体が、互いに対向する一対のフランジと互いに対向し且つそれぞれ前記一対のフランジを接続する一対のウェブとを含むと共に、前記一対のフランジ及び前記一対のウェブにより構成されるロの字状の断面を有し、
前記圧潰部形成工程において、前記一対のウェブを圧潰することで前記圧潰部を形成することを特徴とする、請求項６又は７に記載の製造方法。
【請求項９】
前記フランジの厚みが前記ウェブの厚みよりも大きいことを特徴とする、請求項８に記載の製造方法。
【請求項１０】
前記かしめ工程において、前記圧潰部に複数の前記リベットを互いに離隔させつつかしめ締結することを特徴とする、請求項６〜９のいずれか一項に記載の製造方法。
【請求項１１】
前記本体がアルミニウム合金からなり、前記リベットが鋼からなることを特徴とする、請求項６〜１０のいずれか一項に記載の製造方法。
【発明の詳細な説明】
【技術分野】
【０００１】
本発明は、自動車のドアビーム等に用いられる補強用中空部材及びその製造方法に関する。
【背景技術】
【０００２】
補強用中空部材を対象部材（自動車のドアパネル等）に固定するにあたって、予め補強用中空部材にブラケットを取り付け、補強用中空部材をブラケットを介してボルト・ナットの締め付けにより対象部材に固定するという技術（ブラケット方式）が知られている（特許文献１参照）。しかしながら、上記ブラケット方式では、部品点数が多くなり、また、ブラケットの加工が必要なために製造工程数も多くなってしまい、コスト面で不利である。さらに、補強用中空部材を対象部材に固定する際に、ナットを工具等でブラケット上に支持しつつボルトを締め付ける必要があり、作業性が悪いという問題もある。
【０００３】
そこで、ブラケットを省略した方式として、特許文献２及び３のような技術が知られている。特許文献２では、補強用中空部材の一方のフランジにボルトが遊嵌し得る穴を形成し、当該フランジの穴と対向する部分にナットを配置し、対象部材を介してボルト・ナットの締め付けを行うことが示されている。特許文献３では、補強用中空部材の長手方向端部をつぶし、当該端部に形成された穴にボルト締め付けることが示されている。
【先行技術文献】
【特許文献】
【０００４】
【特許文献１】特開平５−２５４３４４号公報
【特許文献２】特開２００１−３０１４６２号公報
【特許文献３】特開平９−５８３８６号公報
【発明の概要】
【発明が解決しようとする課題】
【０００５】
特許文献２，３によると、ブラケットを省略したことで、ブラケット分の部品点数等の問題は軽減されるものの、特許文献１と同様にボルト・ナットによる締め付け構造を採用しているため、ボルト・ナットの個数分の部品点数により、コストや重量がかかる。作業面においても、ボルト・ナットの個数分だけ締め付け作業が必要になるため、煩雑になる。さらに、ボルト・ナットの締め付けのための作業スペースを確保する必要があるため、ナットの配置間隔に制約が生じ、補強用中空部材の対象部材に対する固定強度を確保し難いという問題もある。また、特に特許文献２では、１枚のフランジを介して対象部材との固定を行っているため、固定強度の面で不利である。
【０００６】
本発明の目的は、部品点数を抑えてコストや重量を低減しつつ、対象部材に対する固定強度を確実に確保することができると共に、対象部材に対する固定作業を容易に行うことができる、補強用中空部材及びその製造方法を提供することである。
【課題を解決するための手段】
【０００７】
上記目的を達成するため、本発明の第１観点によると、対象部材を補強するために前記対象部材に固定される補強用中空部材において、金属からなる中空状の本体であって、前記対象部材に固定される部分に当該本体を構成する互いに対向する一対の壁を圧潰することで形成された圧潰部が設けられた、本体と、頭部及び前記頭部から延出した軸部を有すると共に、前記軸部が前記圧潰部を貫通し、前記圧潰部における前記軸部の周囲部分が塑性流動することで前記圧潰部にかしめ締結され、前記頭部から前記軸部先端に流された溶接電流によって前記軸部先端が前記対象部材にスポット溶接される複数のリベットと、を備え、前記リベットにおける少なくとも前記本体と接触する部分に、絶縁層が形成されていることを特徴とする、補強用中空部材が提供される。
【０００８】
本発明の第２観点によると、金属からなる中空状の本体を有すると共に対象部材を補強するために前記対象部材に固定される補強用中空部材の製造方法であって、前記本体の前記対象部材に固定される部分に、前記本体を構成する互いに対向する一対の壁を圧潰することで、圧潰部を形成する圧潰部形成工程と、頭部及び前記頭部から延出した軸部を有し、前記本体と接触する部分に絶縁層が形成されている複数のリベットの前記軸部を前記圧潰部に貫通させ、前記圧潰部における前記軸部の周囲部分を塑性流動させることで前記リベットを前記圧潰部にかしめ締結する、かしめ工程と、前記リベットの前記頭部から前記軸部先端に溶接電流を流すことによって前記軸部先端を前記対象部材にスポット溶接する溶接工程と、を備えたことを特徴とする、補強用中空部材の製造方法が提供される。
【０００９】
上記第１及び第２観点によれば、ブラケットを省略できると共に、ボルト・ナットによる締め付け構造を採用する必要がないため、ブラケットやボルト・ナットの個数分の部品点数が不要であり、コストや重量を低減することができる。また、ボルト・ナットの締め付けのための作業スペースを確保する必要がなく、リベットの配置間隔に制約が生じないため、補強用中空部材の対象部材に対する固定強度を確保し易い。しかも、互いに対向する一対の壁を圧潰することで圧潰部が形成されているため、特許文献２のような１枚のフランジを介して対象部材との固定を行う構成に比べ、固定強度を向上させることができる。さらに、ボルト・ナットの締め付け作業が不要であり、固定作業を容易に行うことができる。このように、上記第１及び第２観点によれば、部品点数を抑えてコストや重量を低減しつつ、対象部材に対する固定強度を確実に確保することができると共に、対象部材に対する固定作業を容易に行うことができる。また、圧潰部に複数のリベットを設ける場合において、１のリベットを対象部材に溶接した後に当該リベットに隣接して配置されたリベットを対象部材に溶接する際、溶接電流が既に溶接されたリベットに向かって流れ易い。そのため、溶接が適切に行われず、補強用中空部材の対象部材に対する固定強度が低下し得る。これに対し、上記構成によれば、絶縁層の存在により、溶接電流が既に溶接されたリベットに向かって流れるのが防止される。これにより、上記の問題を軽減することができる。
【００１０】
上記第２観点において、前記圧潰部形成工程及び前記かしめ工程を、プレス加工により同時に行ってよい。この構成によれば、圧潰部の形成とリベットのかしめ締結とを同時に行うことで、製造工程の簡素化が実現される。
【００１１】
上記第１観点において、前記本体が、互いに対向する一対のフランジと互いに対向し且つそれぞれ前記一対のフランジを接続する一対のウェブとを含むと共に、前記一対のフランジ及び前記一対のウェブにより構成されるロの字状の断面を有し、前記圧潰部が、前記一対のウェブを圧潰することで形成されてよい。また、上記第２観点では、前記本体が、互いに対向する一対のフランジと互いに対向し且つそれぞれ前記一対のフランジを接続する一対のウェブとを含むと共に、前記一対のフランジ及び前記一対のウェブにより構成されるロの字状の断面を有し、前記圧潰部形成工程において、前記一対のウェブを圧潰することで前記圧潰部を形成してよい。これらの構成によれば、フランジと直交する方向の負荷（補強用中空部材を自動車のドアビームとして用いた場合、衝突時等に生じる衝撃力）の吸収力が向上する。
【００１２】
上記第１及び第２観点において、前記フランジの厚みが前記ウェブの厚みよりも大きくてよい。この構成によれば、圧潰部において肉厚のフランジが重なり合うことで、圧潰部の強度が向上する。また、ウェブが薄肉であるため、圧潰部の形成を容易に行うことができる。
【００１３】
上記第１観点において、複数の前記リベットが、互いに離隔しつつ前記圧潰部にかしめ締結されてよい。また、上記第２観点では、前記かしめ工程において、前記圧潰部に複数の前記リベットを互いに離隔させつつかしめ締結してよい。これらの構成によれば、圧潰部に複数のリベットを設けることで、各リベットにかかる荷重を低減することができる。ひいては、補強用中空部材の対象部材に対する固定強度を向上させることができる。
【００１５】
上記第１及び第２観点において、前記本体がアルミニウム合金からなり、前記リベットが鋼からなってよい。この構成によれば、本体を比較的軽量なアルミニウム合金で構成することで、補強用中空部材の軽量化を図ることができる。また、本体がアルミニウム合金からなり、対象部材が鋼からなる場合に、両者を溶接により接合すると、両者の界面に脆性の高いＡｌ−Ｆｅ系の金属間化合物が生成され、固定強度が低減するという問題が生じ得る。しかし上記構成によれば、共に鋼からなるリベットと対象部材とをスポット溶接することで、本体と対象部材との界面に金属間化合物が生成されず、補強用中空部材の対象部材に対する固定強度を確実に確保することができる。
【発明の効果】
【００１６】
部品点数を抑えてコストや重量を低減しつつ、対象部材に対する固定強度を確実に確保することができると共に、対象部材に対する固定作業を容易に行うことができる。
【図面の簡単な説明】
【００１７】
【図１】本発明の一実施形態に係る補強用中空部材を自動車のドアビームとして用いた例を示す概略図である。
【図２】（ａ）は、本発明の一実施形態に係る補強用中空部材の長手方向端部を示す斜視図である。（ｂ）は、図２（ａ）に示すＩＩＢ−ＩＩＢ線に沿った断面図である。
【図３】各リベットを対象部材にスポット溶接する工程を示す、図２（ａ）に示すＩＩＩ−ＩＩＩ線に沿った断面図である。
【図４】本発明の一実施形態に係る補強用中空部材の製造方法を示すフロー図である。
【図５】プレス加工が行われるときの状況を段階的に示す、図２（ｂ）に対応する断面図である。
【発明を実施するための形態】
【００１８】
以下、本発明の好適な実施の形態について説明する。
【００１９】
本発明の一実施形態に係る補強用中空部材１は、例えば、図１に示すように、自動車のドアビームとして用いることができる。図１において、補強用中空部材１は、自動車のドアのインナーパネルとアウターパネルとの間に配置され、インナーパネル（対象部材）に固定されている。この例において、補強用中空部材１は、自動車のドアを補強し、ドア側面からの衝突による衝撃を吸収して自動車の乗員を保護する機能を有する。
【００２０】
補強用中空部材１は、図２に示すように、一方向に長尺な中空状の本体２と、本体２の長手方向の各端部（以下、「長手方向の端部」を単に「端部」と称す。また、図２には一方の端部のみを示すが、他方の端部も同様の構成である。）にかしめ締結されたリベット３と、を含む。本体２はアルミニウム合金の押出材からなり、リベット３は鋼からなる。補強用中空部材１を固定する対象となる対象部材は、任意の材料からなってよいが、金属間化合物の生成を抑制する観点から、リベット３と同じく鋼からなることが好ましい。
【００２１】
本体２は、互いに対向する一対のフランジ２ａと互いに対向し且つそれぞれ一対のフランジ２ａを接続する一対のウェブ２ｂとを含むと共に、一対のフランジ２ａ及び一対のウェブ２ｂにより構成されるロの字状の断面を有する。フランジ２ａの厚みは、ウェブ２ｂの厚みよりも大きい。
【００２２】
本体２の各端部は、対象部材（図１の例ではドアパネル）に固定される部分である。本体２の各端部には、一対のウェブ２ｂを圧潰することで形成された圧潰部２ｘが設けられている。当該圧潰部２ｘにそれぞれ、２つのリベット３が抜去されないよう強固にかしめ締結されている。
【００２３】
各リベット３は、頭部３ａ、及び、頭部３ａから延出した軸部３ｂを有する。各リベット３は、軸部３ｂが圧潰部２ｘを貫通し、圧潰部２ｘの各フランジ２ａにおける軸部３ｂの周囲部分が塑性流動することで、圧潰部２ｘにかしめ締結されている。各圧潰部２ｘに設けられた２つのリベット３は、本体２の長手方向に関して互いに離隔しつつ、本体２の幅方向中央に配置されている。
【００２４】
図３に示すように、各リベット３の軸部３ｂの先端をスポット溶接することで、補強用中空部材１が対象部材１０に固定される。本体２の端部に最も近い位置に配置されたリベット３における本体２と接触する部分（頭部３ａの底面及び軸部３ｂ周面）には、絶縁層３ｘが形成されている。これにより、リベット３毎に順次上下に電極５０ａ，５０ｂを配置してスポット溶接を行う場合において、先に１の（図３の右側の）リベット３を対象部材１０に溶接した後に当該リベット３に隣接して配置された（図３の左側の）リベット３を対象部材１０に溶接する際、溶接電流が矢印５０Ｙのように既に溶接された（図３の右側の）リベット３に向かって流れるのが防止される。このとき溶接電流は、絶縁層３ｘの存在により、矢印５０Ｘのように、図３の左側のリベット３の頭部３ａから軸部３ｂを通って当該軸部３ｂの先端に向かって、適正に流れる。
【００２５】
スポット溶接時にリベット３が溶融して流れ出すことを防止するため、本体２の端部に最も近い位置に配置されたリベット３の軸中心から本体２の端部の縁までの、本体２の長手方向に関する距離Ｄ（図２（ａ）及び図３参照）は、少なくとも軸部３ｂの径の２．５倍程度確保することが好ましい。
【００２６】
次いで、補強用中空部材１の製造方法について説明する。
【００２７】
補強用中空部材１を製造するには、先ず、部品（本体２及び４つのリベット３）を準備する（図４のＳ１）。このとき本体２は、各端部に未だ圧潰部２ｘが設けられておらず、長手方向全体に亘って一定の断面（図５（ａ）のようにロの字状の断面）を有する。
【００２８】
Ｓ１の後、Ｓ１で準備した４つのリベット３の２つにおいて、頭部３ａの底面及び軸部３ｂ周面に、絶縁層３ｘを形成する（Ｓ２：絶縁層形成工程）。Ｓ２では、絶縁性を有する塗料をリベット３の上記各表面に塗布することで、絶縁層３ｘを形成してよい（例えば、ジオメット（登録商標）処理やディスゴ（登録商標）処理を採用してよい）。
【００２９】
Ｓ２の後、図５（ａ）に示すように、本体２及びリベット３を金型６０ａ，６０ｂ間に配置する（Ｓ３）。このとき、Ｓ２で絶縁層３ｘを形成した２つのリベット３を本体２の各端部に最も近い位置に配置し、絶縁層３ｘを形成していない２つのリベット３を本体２の各端部に２番目に近い位置に配置する。各リベット３は、頭部３ａが下側の金型６０ｂ上に載置され、軸部３ｂが上方に突出するように、配置される。上側の金型６０ａには、軸部３ｂの径よりも一回り大きな径の穴６０ｘが形成されている。本体２及びリベット３は、穴６０ｘと軸部３ｂとが位置合わせされ、且つ、軸部３ｂの先端が下側のフランジ２ａの幅方向中央に位置するように、配置される。
【００３０】
Ｓ３の後、プレス加工を行う（Ｓ４：圧潰部形成工程＋かしめ工程）。Ｓ４では、プレス加工により、本体２の各端部に圧潰部２ｘが形成されると共に、リベット３が各圧潰部２ｘにかしめ締結される。具体的には、図５（ｂ），（ｃ）に示すように、下側の金型６０ｂを静止させた状態で、上側の金型６０ａを下降させる。すると、軸部３ｂの先端が下側のフランジ２ａの幅方向中央の部分を下方から押圧し、下側のフランジ２ａの当該部分が隆起すると共に、一対のウェブ２ｂがそれぞれ外側に屈曲する（図５（ｂ）参照）。そして、一対のウェブ２ｂがそれぞれ外側にさらに屈曲すると共に、軸部３ｂが下側のフランジ２ａの幅方向中央を貫通し、さらに上側のフランジ２ａの幅方向中央を貫通する（図５（ｃ）参照）。このようにして、本体２の各端部において、一対のウェブ２ｂが圧潰されて圧潰部２ｘが形成されると同時に、各リベット３の軸部３ｂが圧潰部２ｘを貫通し、圧潰部２ｘの各フランジ２ａにおける軸部３ｂの周囲部分が塑性流動することで、２つのリベット３が当該圧潰部２ｘにかしめ締結される。なお、一対のウェブ２ｂは内側に屈曲する場合もある。
【００３１】
以上の工程により、補強用中空部材１が完成する。
【００３２】
以上に述べたように、本実施形態に係る補強用中空部材１及びその製造方法によると、ブラケットを省略できると共に、ボルト・ナットによる締め付け構造を採用する必要がないため、ブラケットやボルト・ナットの個数分の部品点数が不要であり、コストや重量を低減することができる。また、ボルト・ナットの締め付けのための作業スペースを確保する必要がなく、リベット３の配置間隔に制約が生じないため、補強用中空部材１の対象部材１０に対する固定強度を確保し易い。しかも、互いに対向する一対の壁（ウェブ２ｂ）を圧潰することで圧潰部２ｘが形成されているため、特許文献２のような１枚のフランジを介して対象部材との固定を行う構成に比べ、固定強度を向上させることができる。さらに、ボルト・ナットの締め付け作業が不要であり、固定作業を容易に行うことができる。このように、本実施形態によれば、部品点数を抑えてコストや重量を低減しつつ、対象部材に対する固定強度を確実に確保することができると共に、対象部材に対する固定作業を容易に行うことができる。
【００３３】
本実施形態の製造方法によれば、Ｓ４で圧潰部２ｘの形成とリベット３のかしめ締結とを同時に行うことで、製造工程の簡素化が実現される。
【００３４】
本体２が、一対のフランジ２ａ及び一対のウェブ２ｂにより構成されるロの字状の断面を有し、圧潰部２ｘが、一対のウェブ２ｂを圧潰することで形成されている。これにより、フランジ２ａと直交する方向の負荷（補強用中空部材１を自動車のドアビームとして用いた場合、衝突時等に生じる衝撃力）の吸収力が向上する。
【００３５】
しかも、フランジ２ａの厚みがウェブ２ｂの厚みよりも大きい。この場合、圧潰部２ｘにおいて肉厚のフランジ２ａが重なり合うことで、圧潰部２ｘの強度が向上する。また、ウェブ２ｂが薄肉であるため、圧潰部２ｘの形成を容易に行うことができる。
【００３６】
圧潰部２ｘに複数のリベット３を設けている。これにより、各リベット３にかかる荷重を低減することができる。ひいては、補強用中空部材１の対象部材１０に対する固定強度を向上させることができる。
【００３７】
本体２の端部に最も近い位置に配置されたリベット３における本体２と接触する部分（頭部３ａの底面及び軸部３ｂ周面）に、絶縁層３ｘが形成されている。圧潰部２ｘに複数のリベット３を設ける場合において、１のリベット３を対象部材１０に溶接した後に当該リベット３に隣接して配置されたリベット３を対象部材１０に溶接する際、溶接電流が既に溶接されたリベット３に向かって流れ易い（図３の矢印５０Ｙ参照）。そのため、溶接が適切に行われず、補強用中空部材１の対象部材１０に対する固定強度が低下し得る。これに対し、上記構成によれば、絶縁層３ｘの存在により、溶接電流は図３の矢印５０Ｘのように適正に流れ、溶接電流が既に溶接されたリベット３に向かって流れるのが防止される。これにより、上記の問題を軽減することができる。
【００３８】
本体２がアルミニウム合金からなり、リベット３が鋼からなる。この構成によれば、本体２を比較的軽量なアルミニウム合金で構成することで、補強用中空部材１の軽量化を図ることができる。また、本体２がアルミニウム合金からなり、対象部材１０が鋼からなる場合に、両者を溶接により接合すると、両者の界面に脆性の高いＡｌ−Ｆｅ系の金属間化合物が生成され、固定強度が低減するという問題が生じ得る。しかし上記構成によれば、共に鋼からなるリベット３と対象部材１０とをスポット溶接することで、本体２と対象部材１０との界面に金属間化合物が生成されず、補強用中空部材１の対象部材１０に対する固定強度を確実に確保することができる。
【００３９】
以上、本発明の好適な実施の形態について説明したが、本発明は上述の実施形態や実施例に限られるものではなく、特許請求の範囲に記載した限りにおいて様々な設計変更が可能なものである。
【００４０】
本発明に係る補強用中空部材は、ドアビーム以外にも適用可能である。
【００４１】
圧潰部に設けられるリベットの数は、１以上の任意の数であってよい。リベットの配置態様も任意であり、例えば、複数のリベットを、本体の長手方向に延在する１又は複数の列に沿って配置してもよいし、ランダムに配置してもよい。
【００４２】
本体において、フランジの厚みがウェブの厚みと同じ又はウェブの厚みよりも小さくてもよい。
【００４３】
本体の形状は、中空状であればよく、上述の実施形態のような断面を有するものに限定されない。例えば、本体は、断面が正方形又は長方形の角管、断面が円形の円管等であってもよい。
【００４４】
本体の材料は、アルミニウム合金に限定されず、アルミニウム合金以外の任意の金属材料（例えば鋼等）であってよい。リベットの材料も、鋼に限定されず、任意である。
【００４５】
本体における圧潰部の位置は、長手方向両端に限定されない。例えば、本体の長手方向一端のみ、本体の長手方向中央等に、圧潰部を設けてもよい。
【００４６】
絶縁層は、少なくとも１のリベットにおける、少なくとも本体と接触する部分に、形成されればよい。例えば、上述の実施形態では各圧潰部に設けられる２つのリベットのうちの１つずつ（計２つのリベット）に絶縁層を形成しているが、１の圧潰部のみに着目して２つのリベットのうちの１つ（１のリベットのみ）に絶縁層を形成してもよい。或いは、全てのリベットに絶縁層を形成してもよい。また、１のリベットにおいて、本体と接触する部分以外の部分（例えば、頭部３ａの上面等）にも、絶縁層を形成してよい。
【００４７】
絶縁層の形成にあたっては、ジオメット（登録商標）処理やディスゴ（登録商標）処理に限定されず、これら以外の任意の手法（例えば、亜鉛メッキ後にクロメート処理を行う手法等）を採用してよい。
【００４８】
圧潰部形成工程及びかしめ工程を、同時に行わず、別々に行ってもよい。
【符号の説明】
【００４９】
１  補強用中空部材
２  本体
２ａ  フランジ
２ｂ  ウェブ（壁）
２ｘ  圧潰部（対象部材に固定される部分）
３  リベット
３ａ  頭部
３ｂ  軸部
３ｘ  絶縁層
１０  対象部材
【図１】
0005852497.tif 000002
【図２】
0005852497.tif 000003
【図３】
0005852497.tif 000004
【図４】
0005852497.tif 000005
【図５】
0005852497.tif 000006